【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
カテーテルを膨らませる方法において、
前記カテーテルは、流体注入腔を有する細長シャフト及びバルーンまたはスカートを有し、前記バルーンまたはスカートの内室が、前記流体注入腔と流体が通じる態様にあるように前記細長シャフトに結合されており、前記方法が
前記流体注入腔を介して、少なくとも１つのポリマーを含む組成物で前記バルーンまたはスカートを充填する工程であって、前記組成物は前記バルーンまたはスカート内である程度または完全にゲル化するものである工程、
を有してなる方法。
【請求項２】
前記カテーテルがバルーンを有することを特徴とする請求項１に記載の方法。
【請求項３】
前記カテーテルがスカートを有することを特徴とする請求項１に記載の方法。
【請求項４】
前記カテーテルがガイドワイア腔をさらに有することを特徴とする請求項１に記載の方法。
【請求項５】
前記カテーテルが前記バルーンまたはスカートにステントが取り付けられているステント配送カテーテルであり、前記ステントが必要に応じて治療剤を送ることを特徴とする請求項１に記載の方法。
【請求項６】
前記少なくとも１つのポリマーが少なくとも１つの、必要に応じて純化された、逆感熱ポリマーであることを特徴とする請求項１に記載の方法。
【請求項７】
前記少なくとも１つのポリマーが少なくとも１つの純化逆感熱ポリマーであることを特徴とする請求項１に記載の方法。
【請求項８】
前記組成物が約１０℃と約４０℃の間の遷移温度を有することを特徴とする請求項１に記載の方法。
【請求項９】
前記組成物が約２℃から約５℃の温度範囲にかけてゲル化することを特徴とする請求項１に記載の方法。
【請求項１０】
前記必要に応じて純化された逆感熱ポリマーが約１.５から約１.０の多分散性指数を有することを特徴とする請求項６に記載の方法。
【請求項１１】
前記必要に応じて純化された逆感熱ポリマーが、ブロック共重合体、ランダム共重合体、グラフト重合体及び枝分れ共重合体からなる群から選ばれることを特徴とする請求項６に記載の方法。
【請求項１２】
前記必要に応じて純化された逆感熱ポリマーがポリオキシアルキレンブロック共重合体であることを特徴とする請求項６に記載の方法。
【請求項１３】
前記必要に応じて純化された逆感熱ポリマーがポロキサマー及びポロキサミンからなる群から選ばれることを特徴とする請求項６に記載の方法。
【請求項１４】
前記必要に応じて純化された逆感熱ポリマーが、ポロキサマー４０７，ポロキサマー３３８，ポロキサマー１１８，テトロニック（登録商標）１１０７及びテトロニック（登録商標）１３０７からなる群から選ばれることを特徴とする請求項６に記載の方法。
【請求項１５】
前記必要に応じて純化された逆感熱ポリマーがポロキサマー４０７であることを特徴とする請求項６に記載の方法。
【請求項１６】
前記必要に応じて純化された逆感熱ポリマーがポロキサマーまたはポロキサミンであり、前記組成物が約１０℃と４０℃の間の遷移温度を有することを特徴とする請求項６に記載の方法。
【請求項１７】
前記組成物が前記必要に応じて純化された逆感熱ポリマーを約５％から約３５％含むことを特徴とする請求項６に記載の方法。
【請求項１８】
少なくとも１つのポリマーを含む前記組成物が、陰イオン性、陽イオン性または非イオン性の架橋性ポリマーを含むことを特徴とする請求項１に記載の方法。
【請求項１９】
少なくとも１つのポリマーを含む前記組成物が、アルギン酸、アルギン酸ナトリウム、アルギン酸カリウム、ナトリウムジェラン、カリウムジェラン、カルボキシメチルセルロース、ヒアルロン酸及びポリビニルアルコールからなる群から選ばれるポリマーを含むことを特徴とする請求項１に記載の方法。
【請求項２０】
少なくとも１つのポリマーを含む前記組成物が、リン酸塩、クエン酸塩、ホウ酸塩、コハク酸塩、マレイン酸塩、アジピン酸塩、シュウ酸塩、カルシウム、マグネシウム、バリウム、ストロンチウムまたはこれらの組合せをさらに含むことを特徴とする請求項１に記載の方法。
【請求項２１】
少なくとも１つのポリマーを含む前記組成物が、アルギン酸、アルギン酸ナトリウム、アルギン酸カリウム、ナトリウムジェラン及びカリウムジェランからなる群から選ばれるポリマーを含み、少なくとも１つのポリマーを含む前記組成物がさらにカルシウム、マグネシウムまたはバリウムを含むことを特徴とする請求項１に記載の方法。
【請求項２２】
少なくとも１つのポリマーを含む前記組成物が、アルギン酸、アルギン酸ナトリウムまたはアルギン酸カリウムからなる群から選ばれるポリマーを含み、少なくとも１つのポリマーを含む前記組成物がさらにカルシウムを含むことを特徴とする請求項１に記載の方法。
【請求項２３】
少なくとも１つのポリマーを含む前記組成物が、ナトリウムジェラン及びカリウムジェランからなる群から選ばれるポリマーを含み、少なくとも１つのポリマーを含む前記組成物がさらにマグネシウムを含むことを特徴とする請求項１に記載の方法。
【請求項２４】
少なくとも１つのポリマーを含む前記組成物がヒアルロン酸を含み、少なくとも１つのポリマーを含む前記組成物がさらにカルシウムを含むことを特徴とする請求項１に記載の方法。
【請求項２５】
少なくとも１つのポリマーを含む前記組成物がポリビニルアルコールを含み、少なくとも１つのポリマーを含む前記組成物がさらにホウ酸塩を含むことを特徴とする請求項１に記載の方法。
【請求項２６】
生理学的温度における前記組成物の体積が前記組成物の遷移温度より低温における前記組成物の体積の約８０％から約１２０％であることを特徴とする請求項１に記載の方法。
【請求項２７】
前記組成物がコントラスト強調剤をさらに含むことを特徴とする請求項１に記載の方法。
【請求項２８】
前記コントラスト強調剤が、放射線不透過性材料、常磁性材料、重原子、遷移金属、ランタニド、アクチニド、染料及び放射線核種含有材料からなる群から選ばれることを特徴とする請求項２７に記載の方法。
【請求項２９】
前記組成物を冷却し、よって前記バルーンまたはスカート内の前記ゲルを液化する工程をさらに含むことを特徴とする請求項１に記載の方法。
【請求項３０】
前記組成物が冷水溶液または氷を用いて冷却されることを特徴とする請求項１に記載の方法。
【請求項３１】
前記バルーンまたはスカートに水溶液を注入し、よって前記バルーンまたはスカート内の前記ゲルを溶解する工程をさらに含むことを特徴とする請求項１に記載の方法。
【請求項３２】
前記バルーンまたはスカートに食塩水を注入し、よって前記バルーンまたはスカート内の前記ゲルを溶解する工程をさらに含むことを特徴とする請求項１に記載の方法。
【請求項３３】
前記バルーンまたはスカート内に入れられている前記ポリマー組成物の放出を可能にするために前記バルーンに穴をあけるかまたは前記スカートを裏返す工程をさらに含むことを特徴とする請求項１に記載の方法。
【請求項３４】
前記バルーンまたはスカート内に入れられている前記ポリマー組成物の放出を可能にするために前記バルーンに穴をあけるかまたは前記スカートを裏返す工程及び前記バルーンまたはスカートに食塩水を注入する工程をさらに含むことを特徴とする請求項１に記載の方法。
【請求項３５】
前記食塩水の温度が２５℃より低いことを特徴とする請求項３４に記載の方法。
【請求項３６】
前記スカートが凸形スカートであることを特徴とする請求項３に記載の方法。
【請求項３７】
前記スカートの裏返し及び前記ゲルの溶解をおこさせるために前記カテーテルシャフトを引き戻す工程をさらに含むことを特徴とする請求項３６に記載の方法。
【請求項３８】
前記スカートが凹形スカートであることを特徴とする請求項３に記載の方法。
【請求項３９】
前記スカートの裏返し及び前記ゲルの溶解をおこさせるために前記カテーテルシャフトを押し込む工程をさらに含むことを特徴とする請求項３８に記載の方法。
【請求項４０】
前記バルーンが、標準バルーン、円錐形バルーン、方形バルーン、球形バルーン、円錐/方形バルーン、長円錐/方形バルーン、円錐/球形バルーン、長球形バルーン、テーパーバルーン、ドッグボーンバルーン、段付バルーン、オフセットバルーンまたは円錐/オフセットバルーンであることを特徴とする請求項２に記載の方法。
【請求項４１】
前記バルーンまたはスカートが、ポリブチレンテレフタレート-ポリエチレングリコールブロック共重合体、ポリウレテン、ＡＢＳ（アクリロニトリル-ブタジエン-スチレン）、ＡＢＳ/ナイロン、ＡＢＳ/ポリ塩化ビニル（ＰＶＣ）、ＡＢＳ/ポリカーボネート、アクリロニトリル共重合体、ポリアクリルアミド、ポリアクリレート、ポリアクリルスルホン、ポリエステル、ポリエチレンテレフタレート（ＰＥＴ）、ポリブチレンテレフタレート（ＰＢＴ）、ポリエチレンナフタレート（ＰＥＮ）、液晶ポリマー（ＬＣＰ）、ポリエステル/ポリカプロラクトン、ポリエステル/ポリアジピン酸エステル、ポリエーテルエーテルケトン（ＰＥＥＫ）、ポリエーテルスルホン（ＰＥＳ）、ポリエーテルイミド（ＰＥＩ）、ポリエーテルケトン（ＰＥＫ）、ポリメチルペンテン、ポリフェニレンエーテル、ポリ硫化フェニレン、スチレンアクリロニトリル（ＳＡＮ）、ポリアミド、ナイロン６，ナイロン６/６，ナイロン６/６６，ナイロン６/９，ナイロン６/１０，ナイロン６/１２，ナイロン１１，ナイロン１２，エチレン、プロピレンエチレンビニルアセテート、エチレンビニルアルコール（ＥＶＡ）、イオノマー、ポリエチレンタイプＩ-IV、ポリオレフィン、ポリウレタン、ポリ塩化ビニル、ポリシロキサン（シリコーン）、フルオロカーボン、ポリクロロトリフルオロエチレン（ＣＴＦＥ）、ポリ[エチレン-コ-クロロトリフルオロエチレン]共重合体（ＥＣＴＦＥ）、エチレンテトラフルオロエチレン（ＥＴＦＥ）、テトラフルオロエチレン-ヘキサフルオロプロピレン共重合体（ＦＥＰ）、ペルフルオロアルカン（ＰＦＡ）及びポリ[フッ化ビニリデン]（ＰＶＤＦ）からなる群から選ばれるポリマーで形成されることを特徴とする請求項１に記載の方法。
【請求項４２】
前記バルーンまたはスカートの壁厚が約１μｍと約２０μｍの間であることを特徴とする請求項１に記載の方法。
【請求項４３】
前記バルーンの破裂圧が約０.５気圧（５.１×１０４Ｐａ）と約３０気圧（３.０×１０６Ｐａ）の間であることを特徴とする請求項２に記載の方法。
【請求項４４】
前記バルーンが、約１気圧（１.０×１０５Ｐａ）から約２０気圧（２.０×１０６Ｐａ）の圧力まで膨らまされることを特徴とする請求項２に記載の方法。